(57)【要約】【技術課題】  排気抵抗が小さく、離隔距離を大きく設定できる給湯器等の排気アダプタを提供する。【解決手段】  給湯器１の排気口２に付けて用いられるものであって、アダプタ３内に一定の間隔で配設されたフィン６は、全て円弧状に形成する。このように、フィン６を円弧状とすることにより、直線的な形状のフィンに比較して排気抵抗が小さくなり、併せて離隔距離を大きくとることができる。あるいは、フィン６の先端側の曲率半径を小さく、あるいは、フィン６を多角形面に、あるいはフィン６の角度を固定又は設定自在に構成する。【選択図】        図  １
2005257147.tif 000002
【特許請求の範囲】
【請求項１】
燃焼器具本体の排気口に取り付けて用いられるものであって、アダプタ本体内に一定の間隔で配設されたフィンは、全て円弧状に形成されていることを特徴とする燃焼器具用排気アダプタ。
【請求項２】
請求項１のフィンは、その先端側の曲率半径が他の部分よりも小さく形成されていることを特徴とする請求項１に記載の燃焼器具用排気アダプタ。
【請求項３】
請求項１のフィンは、多角形面により円弧状に形成されていることを特徴とする請求項１に記載の燃焼器具用排気アダプタ。
【請求項４】
請求項１のフィンは、角度が固定又は設定自在に構成されていることを特徴とする請求項１に記載の燃焼器具用排気アダプタ。
【発明の詳細な説明】
【技術分野】
【０００１】
本発明は、燃焼排気を本体の正面又は側面又は上面に形成した排気口から排出する方式の給湯器等の燃焼器具において、排気抵抗を可及的に抑えながら排気の排出方向を大きく斜方向に誘導して離隔距離を大きく確保するためのフィンを持った排気アダプタに関する。
【背景技術】
【０００２】
給湯器等の燃焼排気は、通常排気口のところで１８０℃〜２６０℃の高温であることから、直接正面等に吹き出すようにすると、人が接近したとき火傷を負ったりする危険がある。又、建物の壁や構造物が可燃物の場合、高温で変色したり、損傷したりする危険がある。
このようなことから、従来の給湯器５０の場合、図５に示すように、排気口５１のところに斜め横向きのフィン５３付のアダプタ５２を取り付けるか、始めから排気口５１内にフィン５３を取り付けておくと共にこのフィン５３の角度（方向）は固定式か設定自在の構成とすることにより、離隔距離を大きくする工夫を行っている。
【０００３】
しかし、従来の風向規制用のフィン５３は、平板で形成されていることから、この平板状のフィン５３の場合、その角度を大きく設定すると、フィン５３に排気が突き当り、この結果フィン５３の面に乱流や渦流が発生し、これが原因して排気抵抗が大きくなるため、吹き出し方向に対して約１５°〜２５°程度の角度をつけるのが限界である。このため、離隔距離を大きくできないことから、給湯器の取り付け位置に制約が発生したり、建物の壁や構造物の設計に工夫が必要になったりすると云う欠点がある。
【発明の開示】
【発明が解決しようとする課題】
【０００４】
本発明は、このような排気問題を有する給湯器等の燃焼器具において、排気抵抗が小さく、離隔距離を大きく確保することができる給湯器用排気アダプタを提供するのが目的である。
【課題を解決するための手段】
【０００５】
上記目的を達成するため、請求項１に記載の発明においては、燃焼器具用排気アダプタにおいて、燃焼器具本体の排気口に取り付けて用いられるものであって、アダプタ本体内に一定の間隔で配設されたフィンは、全て円弧状に形成されていることを特徴とするものである。
この発明により、排気の吹出方向に大きな角度をつけることができる。
【０００６】
更に、請求項２に記載の発明においては、請求項１のフィンは、その先端側の曲率半径が他の部分よりも小さく形成されていることを特徴とするものである。
この発明により、排気抵抗を軽減しながら排気の吹出方向に大きな角度をつけることができる。
【０００７】
更に、請求項３に記載の発明においては、請求項１のフィンは、多角形面により円弧状に形成されていることを特徴とするものである。
この発明により、フィンの加工方法を多様化できる。
【０００８】
更に、請求項４に記載の発明においては、請求項１のフィンは、角度が固定又は設定自在に構成されていることを特徴とするものである。
この発明により、設置条件により最適のフィン角を設定することができる。
〔作用〕
【０００９】
給湯器の排気口に対して本発明のアダプタを取り付けると、排気口から排出された排気は、円曲したフィンに沿って流出し、流速を伴っていることから、このフィンを離れてもしばらくは円曲流となって流れ、やがて流速を失う。
【発明の効果】
【００１０】
本発明は以上のように、給湯器等のような燃焼器具の排気口に取り付けて用いるアダプタにおいて、そのフィンを円曲させたことにより、次の効果を奏する。
１．排気の吹き出し方向を大きく斜め方向に転換できるため、図４（Ａ）及び（  Ｂ）に示すように、例えばフィン６（５３）から壁ａまでの距離を同じく設定  した場合、排気が壁ａに到達する距離は、本願発明の例を示すＬ1の方が従来  例を示すＬ2に比較して大きくなる。この結果、壁ａとの離隔距離を（Ａ）に  示すようにＬ3分接近させることができ、この分給湯器等の設置条件の制約が  緩和される。
２．フィンが円曲しているため、排気流動抵抗が小さい。このため、より斜め方  向に排気を吹き出すようにフィンの角度を設定することができる。
【実施例】
【００１１】
本発明に係る排気用アダプタは、給湯器等の排気口の大きさや形状に合った大きさや形状に構成される。勿論、汎用型のものも用意される。材質は、ステンレスが耐久性、加工性、意匠性等から主流となるが、条件を満す限りその他の材質のものでも良い。
【００１２】
以下、図１に給湯器の排気口に本発明に係るアダプタを取り付けた例を示し、図２にアダプタの内部構造を示し、図３（Ａ）に円曲したフィンの構造を示し、（Ｂ）にフィンの先端の円曲率半径を小さく形成した例を示し、（Ｃ）に多面体を屈曲させたフィンを示し、（Ｄ）にフィンの角度を設定できるように構成した例を示し、図４（Ａ）（Ｂ）に本発明と従来品との比較例を示す。
図１において、符号の１は給湯器本体であって、２は排気口、３は排気口２に取り付けられたアダプタを示す。このアダプタ３は、排気口２の正面に対してアダプタ３を取り付けるための取付部５を両サイドに形成した矩形の枠体４と、この枠体４内において、同一方向に向けて一定の間隔で取り付けられた円弧状のフィン６とから構成されている。なお、フィン６の間隔と円曲率半径は排気を排出させたい方向及び角度により決定する。
【００１３】
図３（Ｂ）はフィン６の先端６ａ側において、円曲率半径を他に対して小さく設定することにより、排気の流れにより強い方向性を付与する例であり、請求項２の発明に対応した実施例である。
図３（Ｃ）はフィン６の形状において、平板をプレス加工等により多面６ｃ...で形成し、これにより一定円の曲率半径で円曲した場合と同等の作用効果を生じさせることができるように構成したフィン６の変形例であって、請求項３の発明に対応した実施例である。
図３（Ｄ）はフィン６の角度を可変とするために、フィン６を回転軸７に取り付けて、一点鎖線に示すようにフィン６の角度を設定できるようにした例であって、請求項４に記載の発明に対応した実施例である。
【００１４】
図４は本願発明に係るアダプタと従来のアダプタの比較例を示し、（Ａ）は本願発明のアダプタの場合、（Ｂ）は従来例のフィンの角度を示し、離隔距離Ｌ1は、本願発明の場合、従来例のＬ2に比較して、約２０％程度大きくなっている。
【図面の簡単な説明】
【００１５】
【図１】本発明に係るアダプタを給湯器の排気口に取り付けた状態の説明図。
【図２】アダプタの内部を示す断面図。
【図３】（Ａ）はフィンの間隔の説明図、（Ｂ）は先端側の円曲率円径を小さく形成したフィンの説明図、（Ｃ）は形状を多面に形成したフィンの説明図、（Ｄ）は角度調整を可能にしたフィンの説明図。
【図４】本願発明のアダプタと従来のアダプタにおける性能の比較例の説明図であって、（Ａ）は本願発明、（Ｂ）は従来例である。
【図５】従来のアダプタの説明図。
【符号の説明】
【００１６】
１  給湯器
２  排気口
３  アダプタ
４  枠体
５  取付部
６  フィン
７  回転軸
【図１】
2005257147.tif 000003
【図２】
2005257147.tif 000004
【図３】
2005257147.tif 000005
【図４】
2005257147.tif 000006
【図５】
2005257147.tif 000007